(57)【要約】  たとえばレーザーアブレーションのような後記録技術を用いると、光ディスク上に個別コードを記録することができる。このことは、通常、対応の再生装置内に特別な復号器の存在を必要とする。本発明によれば、ユーザーデータに適した符号化方式とは異なるが、たとえばＢＤの場合のＰＩＣといったような、ディスク中において既に予期されている制御データに適した符号化方式に等しい符号化方式を用いて、この個別コードが記録される。これにより、もはや特別な復号器は必要でなくなり、既存の再生装置の最小限の変更により、個別コードを取得できる適当な再生装置を得ることが可能となる。
2009533791.tif 000002
【特許請求の範囲】
【請求項１】
第１の制御データ部分とユーザーデータ部分とを規定するデータトラックを有する記録媒体上にデータを記録する方法であって、前記ユーザーデータ部分は、ユーザーデータを保存するための部分かつ確保された領域を有する部分であり、前記第１の制御データ部分は、第１の制御データ符号化方式に従って当該部分に沿って書き込まれる第１の制御データを有する部分であり、前記第１の制御データは、前記第１の制御データ符号化方式に従って、前記データトラックの中心からのグルーブの横断方向の変位に符号化され、当該方法は、前記データトラックの中心に対して横断方向位置が変動するパスを形成し、該パスが、前記第１の制御データ符号化方式に従って第２の制御情報を符号化したものとなるように、前記データトラックの前記確保された領域内にデータマークを書き込む処理を含むことを特徴とする方法。
【請求項２】
前記第２の制御情報が、前記記録媒体の識別コードを含むことを特徴とする請求項１記載の方法。
【請求項３】
前記データトラックのデータ部分が、横断方向への周期的な変動を有することを特徴とする請求項１または２記載の方法。
【請求項４】
前記データトラックが、前記確保された領域内において、残りのデータ部分における前記周期的な変動とは異なる、横断方向への変動を有することを特徴とする請求項３記載の方法。
【請求項５】
前記データトラックが、前記確保された領域内において、横断方向への変動を実質的に有さないことを特徴とする請求項１から３いずれか１項記載の方法。
【請求項６】
前記データマークが、単一の記録パスでディスクに書き込まれることを特徴とする請求項１から５いずれか１項記載の方法。
【請求項７】
前記データマークが、少なくとも２つの記録パスでディスクに書き込まれることを特徴とする請求項１から５いずれか１項記載の方法。
【請求項８】
前記データマークが、前記少なくとも２つの記録パスの各パスにおいて、固定された横断方向の変位をもって書き込まれることを特徴とする請求項７記載の方法。
【請求項９】
前記記録媒体が光ディスクであることを特徴とする請求項１から８いずれか１項記載の方法。
【請求項１０】
第１の制御データ部分とユーザーデータ部分とを規定するデータトラックを有する記録媒体上にデータを記録する装置であって、前記ユーザーデータ部分は、ユーザーデータを保存するための部分かつ確保された領域を有する部分であり、前記第１の制御データ部分は、第１の制御データ符号化方式に従って当該部分に沿って書き込まれる第１の制御データを有する部分であり、前記第１の制御データは、前記第１の制御データ符号化方式に従って、前記データトラックの中心からのグルーブの横断方向の変位に符号化され、当該装置は、前記データトラックの中心に対して横断方向位置が変動するパスを形成し、該パスが、前記第１の制御データ符号化方式に従って第２の制御情報を符号化したものとなるように、前記データトラックの前記確保された領域内にデータマークを書き込む書込ユニットを備えていることを特徴とする装置。
【請求項１１】
第１の制御データ部分とユーザーデータ部分とを規定するデータトラックを有する記録媒体であって、前記ユーザーデータ部分は、ユーザーデータを保存するための部分かつ確保された領域を有する部分であり、前記第１の制御データ部分は、第１の制御データ符号化方式に従って当該部分に沿って書き込まれた第１の制御データを有する部分であり、前記第１の制御データは、前記第１の制御データ符号化方式に従って、前記データトラックの中心からのグルーブの横断方向の変位に符号化されており、当該記録媒体はさらに、前記データトラックの前記確保された領域内に書き込まれたデータマークであって、前記データトラックの中心に対して横断方向位置が変動するパスを形成するデータマークを含み、該パスが、前記第１の制御データ符号化方式に従って第２の制御情報を符号化したものとされていることを特徴とする記録媒体。
【請求項１２】
第１の制御データ部分とユーザーデータ部分とを規定するデータトラックを有する記録媒体からデータを読み出す方法であって、前記ユーザーデータ部分は、ユーザーデータを保存するための部分かつ確保された領域を有する部分であり、前記第１の制御データ部分は、第１の制御データ符号化方式に従って当該部分に沿って書き込まれた第１の制御データを有する部分であり、前記第１の制御データは、前記第１の制御データ符号化方式に従って、前記データトラックの中心からのグルーブの横断方向の変位に符号化されており、前記記録媒体はさらに、前記データトラックの前記確保された領域内に書き込まれたデータマークであって、前記データトラックの中心に対して横断方向位置が変動するパスを形成するデータマークを含み、該パスが、前記第１の制御データ符号化方式に従って第２の制御情報を符号化したものとされており、当該方法においては、制御データ復号ユニットを用いて、前記第１の制御データ部分から前記第１の制御データが取得され、当該方法はさらに、前記制御データ復号ユニットを用いて、前記確保された領域からの前記第２の制御情報の取得も行う処理を含むことを特徴とする方法。
【請求項１３】
第１の制御データ部分とユーザーデータ部分とを規定するデータトラックを有する記録媒体からデータを読み出す装置であって、前記ユーザーデータ部分は、ユーザーデータを保存するための部分かつ確保された領域を有する部分であり、前記第１の制御データ部分は、第１の制御データ符号化方式に従って当該部分に沿って書き込まれた第１の制御データを有する部分であり、前記第１の制御データは、前記第１の制御データ符号化方式に従って、前記データトラックの中心からのグルーブの横断方向の変位に符号化されており、前記記録媒体はさらに、前記データトラックの前記確保された領域内に書き込まれたデータマークであって、前記データトラックの中心に対して横断方向位置が変動するパスを形成するデータマークを含み、該パスが、前記第１の制御データ符号化方式に従って第２の制御情報を符号化したものとされており、当該装置には、前記第１の制御データ部分から前記第１の制御データを取得するための制御データ復号ユニットが存在し、前記制御データ復号ユニットが、前記確保された領域からの前記第２の制御情報の取得も行うように構成されていることを特徴とする装置。
【発明の詳細な説明】
【技術分野】
【０００１】
本発明は、記録媒体上にデータを記録する方法、対応の装置、対応の記録媒体、および記録媒体からデータを読み出す対応の方法ならびに装置に関するものである。
【背景技術】
【０００２】
ＣＤ、ＤＶＤおよびＢＤ（コンパクトディスク、デジタルバーサタイルディスクおよびブルーレイディスク）といった光ディスクのデータフォーマットでは、情報は、ピット（もしくは記録マーク）およびランドの形態で、ディスクのデータ層内に記憶される。ピットおよびランドは、データ層内において螺旋トラックを形成するように、マスタリングまたは記録される。読出装置内の光ヘッドは、ピット／ランドのパターンを読み出す。光ヘッドが、ピットおよびランドにより形成されるトラックの中心に精確に位置決めされていないと、光の回折が異なるものとなり得る。この違いが検出器上で検出され、エラー信号をもたらし得る。典型的には、光ヘッドは、あらゆるエラー信号が最小化されるように、トラック上における自己の半径方向位置を調整するよう制御される。換言すると、光ヘッドはトラッキングサーボループを有する。光ヘッドの機械的な制約、および付随するアクチュエータモーターの電気的な制約のため、半径方向の検出エラーに対する応答は、有限の帯域幅を有する。
【０００３】
同様に、ＣＤ、ＤＶＤおよびＢＤシステムの記録可能型および書換可能型ディスク上でも、未書込みのディスクは螺旋状のグルーブを有する。このグルーブの存在により引き起こされる光の回折は、予めプレスされたディスク上のピットおよびランドの存在による光の回折と類似しており、たとえ記録マークが存在していなくても、トラックを追従するのに使用され得るエラー信号をやはり与える。以下では、トラックという表現は、ピットならびにランドの連続、またはピットならびにランドがない場合にはグルーブの、いずれをも指して用いられるものとする。このグルーブは、自己の仮想的な螺旋トラック位置から、半径方向に（周期的な）変位を有し得る（たとえば正弦波状のずれであり、この周期的なずれは一般に、グルーブ「ウォブル」と呼ばれる）。ある特定の走査速度が与えられると、このずれの空間周波数は、光ヘッドの半径方向の動きの帯域幅外となるように選択される。光ヘッドは、ウォブルに追従することはできないが、仮想的なトラック中心である平均グルーブ位置に、位置決めされたまま維持される。半径方向エラー信号は、仮想的なトラック中心と、実際のグルーブ位置との間の差に比例する。たとえばウォブルの周波数もしくは位相を変動させることにより、またはＢＤシステムにおけるＭＳＫ（Ｍｉｎｉｍｕｍ  Ｓｈｉｆｔ  Ｋｅｙｉｎｇ）ならびにのこぎり波状ウォブル（Ｓａｗｔｏｏｔｈ  Ｗｏｂｂｌｅ）といったようなより複雑な方式に従って、上記の半径方向の変位中に、情報を記憶させることが可能である。グルーブウォブルに記憶された情報は、半径方向エラー信号の処理を通じて、ドライブにより取り出される。光ヘッドが記録マークを書き込むと、それらのマークは仮想的なトラック中心上に配される（そのため、記録されたマークは、実際のグルーブ位置に対してオフセットを有し得る）。
【０００４】
予めプレスされた形式のディスクフォーマットは、一般的にはグルーブを予期するものではないが、それでも仮想的なトラック中心からのピットパターンの半径方向への変位中に、情報記憶を予期することがある。いわゆる「ピットウォブル」である。ディスクのマスタリング中において、たとえば音響光学ディフレクターを用いて、レーザービームの方向が半径方向に変化させられる。この方向変化は、十分に高い周波数で行われることができる。ピットウォブル中に記憶された情報は、グルーブウォブルからの情報と同様の方法、すなわちトラッキングサーボループ内においてエラー信号を監視する方法で取り出すことができる。
【０００５】
グルーブウォブルは、一般的に、そのディスク上の位置に関する情報（たとえばセクタ番号）を記憶するために用いられる。この情報は、光ヘッドを正しい位置に位置決めするため（たとえばその位置から書込みを開始するため）、（具体的なセクタ、ＥＣＣブロックまたはクラスタがまだ書き込まれていない場合において）ドライブにより用いられる。一般的に、グルーブウォブルに記憶されている位置情報は、記録されるマーク中に含まれる情報にコピーされる。記録済領域の読出中は、書込済みのマークからの位置情報が利用され、グルーブウォブルからの情報はもはや必要ではない。グルーブウォブルはまた、ディスクに関する他の情報を記憶するためにも用いられ得る（たとえばディスク製造者情報、または要求されるライトストラテジ）。一般的に、この情報も、初期化工程または仕上げ工程中において、記録されるマーク中に含まれる情報にコピーされる。
【０００６】
予めプレスされたディスクで使用されているようなピットウォブルは、一般的に、位置情報を含まないが、たとえばアクセス権情報または複製防止情報を含めるために利用され得る。あるいは、ピットウォブルの存在自体が、そのディスクがオリジナルの（すなわち複製でない）ディスクであることの証拠として利用され得る。光ピックアップヘッドの物理的な制約のため、ピットウォブルは光ディスクドライブによっては記録することができず、ディスク内に特定のウォブルが存在することは、そのディスクが予めプレスされたものであることの証拠となる（予めプレスされたマークと記録されたマークとはいずれも同様の読出信号を与えるので、ドライブは、両マークの違いを検出しないかもしれない）。さらに、記録可能型／書換可能型のディスクは、種々の周波数を有し得る、または種々のデータを含み得る、または種々のデータフォーマットで符号化されたものであり得るような、ウォブルを既に有している。
【０００７】
ＢＤ規格によれば、ディスクの内径側にある専用領域内にグルーブが存在し、いわゆるＰＩＣデータ（Ｐｅｒｍａｎｅｎｔ  Ｉｎｆｏｒｍａｔｉｏｎ  ＆  Ｃｏｎｔｒｏｌ  ｄａｔａ；恒久情報および制御データ）を含むウォブルが存在する。このグルーブは、トラック中心からの半径方向変位に変調されたデータを担持しているが、この変調は、記録可能型ディスクのグルーブの従来のウォブル変調とは異なる特徴を有し、特にそこに符号化されているデータの密度に関して異なる特徴を有する。
【０００８】
たとえば認証やアクセス制限の分野における用途といったようないくつかの用途では、たとえば固有ディスクＩＤ（Ｕｎｉｑｕｅ  Ｄｉｓｃ  ＩＤ）や累積番号といったような個別コードが、ディスクに付与されていると便利である。あらゆるディスクについてこの個別コードが同一であってはいけないという事実の下では、この個別コードは、ディスク上に予め記録されることはできず、代わりにディスクが作製された後に個別に付加される必要がある。さらに、この個別コードは、標準的なユーザー装置では利用できないまたは容易に再現可能でないような技術で、付加されるものであると便利である。
【０００９】
ディスクの作製後に、読出専用ディスク上に固有ディスクＩＤを記録するシステムが提案されている。このシステムでは、スタンプされたピット間のランドが、レーザーによるアブレーションを用いて、（ピット様の反射を与えるように）変換されている。薄膜状の反射層（従来型のディスクにおいては、通常、アルミニウムからなる）は、その層のアブレーションを可能とするような特殊な組成を有する。アブレーションの後、局所的な反射率は低くなり、スタンプされたピットに匹敵する反射率となる。そのため、この技術を用いると、変調ストリーム、したがってデータコンテンツを適応化することが可能である。添付の図面の図１Ａおよび図１Ｂは、この技術を図解したものである。作製後のデータマーク（ピット）が、参照番号１０により示されている。例示的なランドが、参照番号１２により示されている。図１Ａおよび図１Ｂの技術では、実効的に単一のピット１６が生成されるように（図１Ａ）、または拡大されたピット１８が生成されるように（図１Ｂ）、レーザー１１を用いて、ランド１２が変化させられる。このようなピット／ランドパターンの調整は、情報が唯一のものとしてディスク上に符号化されることを可能とする。
【発明の開示】
【発明が解決しようとする課題】
【００１０】
しかしながら、図１Ａおよび図１Ｂに示した方法は、固有識別子のチャネルビットデータを復号するために、特殊なデータ復号器を構築しなくてはならないという欠点を有する。典型的には、固有識別子を記録する他の方法も、その固有識別子のチャネルビットを検出できるようにするためにはハードウェアの変更が必要であるという欠点に悩まされている。
【００１１】
本発明の１つの目的は、ＢＤに適用可能であり、かつ上記の従来技術の欠点を克服する技術を提供することである。
【課題を解決するための手段】
【００１２】
上記の目的は、本発明の第１の側面によれば、請求項１に記載されているような、記録媒体上にデータを記録する方法により達成される。
【００１３】
実際には、本発明によれば、トラック中心から横断方向の変位を有するパスを形成するように、ディスク上にマークを記録するのには、既知の後記録（ｐｏｓｔ  ｒｅｃｏｒｄｉｎｇ）技術が適用される。そのように記録された情報は、第１の制御データについて使用されたのと同様の規則（たとえばＢＤの場合のＰＩＣ）を用いて、横断方向の変位に変調される。こうすることにより、この第２の制御情報を読み出すために、特殊な復号器が必要なくなる。すなわち、既存の再生装置内には既に適当な復号ユニットが存在し、この復号ユニットは第１の制御データを取得するために使われるものであるので、既存の再生装置は、最小限の適合化をもって、第１の制御データを取得するのに使用されている復号ユニットを第２の制御情報の取得にも用いるように指示されることができる。
【００１４】
データトラックの確保された領域は、実質的に半径方向位置の変動がない領域であってもよいし、データトラックの残りのユーザーデータ部分の一部または全部に存在するウォブル変調とは異なるウォブル変調を有する領域であってもよい。データトラックの第１の制御データ部分は、データトラックの変調された部分とは異なる物理的特性を有していてもよい。
【００１５】
明らかなことであるが、得られるパスは、データトラックの制御データ部分の中心に対して、予め決められた周波数よりも高い周波数で、半径方向位置が変動するパスである。この予め決められた周波数は、データトラックの制御データ部分に沿って配されているデータマークが読み出される際に、変調された半径方向トラッキング信号を光ヘッドに検出させるような周波数である。
【００１６】
第２の制御情報および第１の制御データには、様々なタイプの変調を用いることができ、たとえば位相変調、周波数変調またはベースバンド変調を用いることができる。
【００１７】
データマークは、データトラックの片側に書き込まれてもよい。あるいは、データマークは、ディスクのデータトラックの第１の側と第２の側とに書き込まれてもよい。データマークは、単一の記録パスでディスクに書き込まれてもよいし、少なくとも２つの記録パスで書き込まれてもよい。２つ以上の記録パスでの書込みは、１つのパス中においては横断方向の位置決めが必要でないので、より高速の走査速度で記録を行うことができるという利点を有する。
【００１８】
上記の説明から明らかなように、本発明の目的は、本発明の他の側面によれば、請求項１０に記載されているような記録媒体上にデータを記録する装置、請求項１１に記載されているような記録媒体、およびそれぞれ請求項１２ならびに１３に記載されているような記録媒体からデータを読み出す方法ならびに装置によっても、達成される。
【００１９】
本発明は、特に予め記録されたタイプの記録媒体に適用されることを構想したものであるが、ユーザーにより記録可能な記録媒体（１回のみ記録可能なタイプと書換可能なタイプとの両方）、またはハイブリッド媒体にも、同様に適用することができる。
【００２０】
ＢＤに適用された場合、この方法を利用する利点には、要求される記録マーク長の精度が既知の方法よりも実質的に低いという点、固有識別子の復号部分を完全にファームウェアで構築でき、復号器のＩＣその他においてハードウェアの変更が必要でない点、および変調されたデータマークに符号化された固有識別子を検出ならびに復号するために、既存の復号器を再利用できる点が含まれる。
【発明を実施するための最良の形態】
【００２１】
以下、本発明の上記およびその他の側面を、図面を参照しながらさらに説明する。
【００２２】
図２は、本発明の原理を示した図である。上記で述べたように、光ディスクには、変調されたデータトラックが付与され得る。すなわち、データトラック２０は、平均トラック位置２１に対して、半径方向位置の周期的な変動を規定するようなトラックとされている。図２に示した例では、データトラック２０は、正弦波状の形状をしている。
【００２３】
本発明の１つの実施形態では、データマークは、データトラックの制御データ部分に沿って、データトラック２０の半径方向位置の周期的な変動を再現するように、光ディスク上に記録される。１つの例では、データトラックの制御データ部分は、そのような周期的変動が実質的にないものとされる。別の例では、制御データ部分は、データトラックの残りの部分とは異なる方法で変調されてもよい。さらに別の例では、制御データ部分に、データトラックの残りの部分とは異なる物理的特性（幅、深さ等）を有するグルーブが付与されてもよい。
【００２４】
図２では、データマークは、マーク２２および２４により図示されている。これらのデータマークは、任意の適当な情報をディスク上に符号化することができる。たとえば、これらのデータマークは、光ディスクの固有のシリアルナンバー、ディスクからのオーディオ／ビデオ出力のために必要なシリアルナンバー、またはコンピュータに保存されたアプリケーション用のシリアルナンバーを符号化することもできる。
【００２５】
図３は、処理の様々な段階におけるデータトラックを図示している。データトラック３１は、記録されたマークを持たない、変調されたグルーブを示している。グルーブ変調は、高周波数の周期的な変動であり、この例では正弦波状の変動である。トラック３２は、従来型の記録済みのトラックであり、記録マーク３２１は、平均トラック中心に配されている。
【００２６】
データトラック３３は、本発明に従う書込技術を可能とするために付与されている。このトラック３３は、トラックの半径方向位置が変動する変調部分３３１を含む。図３では、簡単のため、この半径方向位置の変動はすべて、正弦波状の変動として示されている。所望の平均トラック位置をもたらす他の周期的変動も可能である。データトラック３３にはまた、確保された領域として制御データ部分３３２が設けられている。この例では、この制御データ部分３３２は、本発明に従う書込技術で記録されるマークのための制御データ部分であり、実質的に半径方向位置の変動がない。
【００２７】
データトラック３４は、データトラック３３の変更例を示している。この例では、トラックに周期的変動３４１が付与されており（前出の例と同様）、制御データ部分３４２には、規定トラックの欠落が付与されている。データマーク３４３は、前出の例と同様に、トラックの変調部分の平均位置に沿って、トラック３４に書き込まれる。制御データ部分３４２は、そのような記録マークがないままとされる。図３ｆに、意図されるトラック変動パターン３４４が図示されている。このパターン３４４は、データマークの書込みによりシミュレート／付与されることとなる。図３ｇは、データトラック３４の制御データ部分の片側に書き込まれているデータマーク３４５を示しており、図３ｈは、データトラック３４の制御データ部分の両側に記録されているデータマーク３４５を示している。こうして、データトラック３４の制御データ部分３４２に対して半径方向にオフセットされた位置に、特定のデータマークを書き込むことにより、データトラックの半径方向の変動をシミュレートすることができる。
【００２８】
図４には、固有識別子のマークを、どのように記録することができるかが示されている。マークは、データトラックの制御データ部分の両側に、半径方向のオフセットをもって記録されることができる。光記録ヘッドは高速で半径方向の移動を行うことができないので、１つの例では、上記のマークの記録は、２回転中に行われる。あるいは、マークの記録に必要な半径方向の変位に光ヘッドが追従できるように、記録中の線速度が選択されてもよい。
【００２９】
マークは、グルーブの片側のみに記録されてもよい。図５に示すように、記録マークが存在するか否かに応じて、トラック追従信号が変調される。
【００３０】
図６は、トラックの公称半径方向位置の両側に、本発明に従って固有の識別データが書き込まれる形式の、本発明を実施した方法の各工程を示したフローチャートである。ステップ６０では、固有識別子ユーザーデータが生成または受信され、続いて（オプションとして）エラー訂正符号化（ＥＣＣ）またはエラー検出符号化（ＥＤＣ）により保護され、続いてバイフェーズ符号化により符号化される（ステップ６１）。ＥＣＣまたはＥＤＣの使用はオプションである。また、バイフェーズ符号化の使用は例示的なものであり、任意の適切な形式の符号化に置き換えてもよい。符号化されたデータは、続いて２つのグループに分けられる（ステップ６２）。一方のグループは、データトラックの一方の側に記録されるべきグループであり、他方のグループは、データトラックの他方の側に記録されるべきグループである。ステップ６３では、データマークの第１のグループが、データトラックの制御データ部分の一方の側に記録され、ステップ６４では、マークの第２のグループが、記録がなされたトラックの制御データ部分の他方の側に記録される。図６に示した例では、第１のグループは、データトラックの制御データ部分から負のオフセットをおいて記録され、第２のグループは、データトラックの制御データ部分から正のオフセットをおいて記録されている。この処理の結果として、データマークは、変調部分中のトラックの残りの部分に沿った半径方向の変動をシミュレートするように、データトラックの平均部分の各側に、そのデータトラックから予め決められた半径方向オフセットをおいて記録される。
【００３１】
図７は、データトラックの制御データ部分の一方の側に固有識別子データを記録する、本発明を実施した方法を示した図である。ステップ７０において固有識別子ユーザーデータが取得され、ステップ７１におけるＥＣＣおよびバイフェーズ符号化に供される。符号化されたデータは２つのグループに分けられる。第１のグループはトラックの片側に記録されるべきデータマークに関し、第２のグループは破棄されるべきデータに関する。データのグループ分けは任意の分け方でよく、書き込まれるべきデータが、データトラックに関する半径方向エラー信号に変調を生じさせることを要求されるだけである。ステップ７３では、記録されるべきマークが、トラックの制御データ部分から予め決められた半径方向オフセットをおいて、光ディスク上に記録される。
【００３２】
図８は、本発明を実施した方法を用いて光ディスク上に記録された固有識別された情報を、復号する処理を示している。ステップ８０において、公称トラック位置から半径方向オフセットをおいて書き込まれた固有識別されたデータが、通常のトラック追従信号を用いて検出される。この結果として得られた信号が、ステップ８１において前処理される。この前処理は、復号および（オプションとしての）エラー検出／訂正（ステップ８２）の、準備のための処理である。この復号工程の結果として、データトラックの制御データ部分に沿って記録された固有識別子ユーザーデータが得られる（ステップ８３）。
【００３３】
固有識別子の検出は、トラック追従信号を利用して行われる。この信号は、復号器、たとえばブルーレイディスクシステムのＰＩＣ復号器に供給される。
【００３４】
上記により、本発明の実施形態は、記録されたマークのパターンがグルーブウォブルまたはピットウォブルと同一の態様でトラッキングチャネルに変調を与えるようにして、光ディスク上にマークを記録する方法を提供することができる。このことは、一般的にグルーブ／ピットウォブルを読み出すために既に利用可能とされている、既存の検出手段（たとえばＨＦＭグルーブ検出）を使用することができることを意味する。したがって、ハードウェアの変更は、全く不要であるか、最小限に留められる。
【００３５】
本発明の方法を用いれば、たとえばデジタル著作権管理を伴うディスクで使用されているようなタイプの、ピットウォブルまたはグルーブウォブルを模することができる。
【００３６】
本発明の方法は、ＢＤ−ＲＯＭディスク上に固有識別子を記録するために使用することができる。
【００３７】
本発明は、以下のように要約することができる。たとえばレーザーアブレーションのような後記録技術を用いると、光ディスク上に個別コードを記録することができる。このことは、通常、対応の再生装置内に特別な復号器の存在を必要とする。本発明によれば、ユーザーデータに適した符号化方式とは異なるが、たとえばＢＤの場合のＰＩＣといったような、ディスク中において既に予期されている制御データに適した符号化方式に等しい符号化方式を用いて、この個別コードが記録される。これにより、もはや特別な復号器は必要でなくなり、既存の再生装置の最小限の変更により、個別コードを取得できる適当な再生装置を得ることが可能となる。
【図面の簡単な説明】
【００３８】
【図１Ａ】従来考えられていた後記録技術を示した図
【図１Ｂ】従来考えられていた後記録技術を示した図
【図２】本発明の原理を示した図
【図３ａ】本発明を実施した方法の各工程の結果を示した図
【図３ｂ】本発明を実施した方法の各工程の結果を示した図
【図３ｃ】本発明を実施した方法の各工程の結果を示した図
【図３ｄ】本発明を実施した方法の各工程の結果を示した図
【図３ｅ】本発明を実施した方法の各工程の結果を示した図
【図３ｆ】本発明を実施した方法の各工程の結果を示した図
【図３ｇ】本発明を実施した方法の各工程の結果を示した図
【図３ｈ】本発明を実施した方法の各工程の結果を示した図
【図４】本発明を実施した方法の結果を示した図
【図５】本発明を実施した別の方法の結果を示した図
【図６】本発明を実施した方法の各工程を示した図
【図７】本発明を実施した方法の各工程を示した図
【図８】本発明を実施した方法を用いて記録されたデータを、復号する方法を示した図
【図１Ａ】
2009533791.tif 000003
【図１Ｂ】
2009533791.tif 000004
【図２】
2009533791.tif 000005
【図３ａ】
2009533791.tif 000006
【図３ｂ】
2009533791.tif 000007
【図３ｃ】
2009533791.tif 000008
【図３ｄ】
2009533791.tif 000009
【図３ｅ】
2009533791.tif 000010
【図３ｆ】
2009533791.tif 000011
【図３ｇ】
2009533791.tif 000012
【図３ｈ】
2009533791.tif 000013
【図４】
2009533791.tif 000014
【図５】
2009533791.tif 000015
【図６】
2009533791.tif 000016
【図７】
2009533791.tif 000017
【図８】
2009533791.tif 000018
【国際調査報告】
2009533791.tif 000019
2009533791.tif 000020
2009533791.tif 000021